(57)【要約】【課題】結露を生じることなく、かつ埃が溜まりにくい断熱パネルの支持構造を提供することを目的とする。【解決手段】断熱パネル１の下端面に形成された凸型嵌合部２を、床面３に設置された凹型の樹脂製床ベース４に嵌合して固定する断熱パネル１の支持構造であって、床ベース４が、断熱パネル１と別体の断熱部材５を固定金具６で断熱パネル下端面に固定することにより形成され、固定金具６が、断熱パネル１の外側と内側とに配された外側金具７と内側金具８とからなり、外側金具７と内側金具８とが互いに非接触の状態で断熱部材５を断熱パネル下端面に固定するような構成とする。【選択図】図１
2008240467.tif 000002
【特許請求の範囲】
【請求項１】
断熱パネルの下端面に形成された凸型嵌合部を、床面に設置された凹型の樹脂製床ベースに嵌合して固定する断熱パネルの支持構造であって、前記凸型嵌合部が、前記断熱パネルと別体の断熱部材を固定金具で断熱パネル下端面に固定することにより形成され、前記固定金具が、前記断熱パネルの外側と内側とに配された外側金具と内側金具とからなり、該外側金具と内側金具とが互いに非接触の状態で前記断熱部材を断熱パネル下端面に固定するようにしたことを特徴とする断熱パネルの支持構造。
【請求項２】
前記外側金具及び内側金具のうち、いずれか一方が前記断熱部材の下面に固着され、他方が前記断熱部材の上面に固着されたことを特徴とする請求項１記載の断熱パネルの支持構造。
【請求項３】
前記床ベースの幅が、前記断熱パネルの幅と同一幅に設定されたことを特徴とする請求項１又は２記載の断熱パネルの支持構造。
【発明の詳細な説明】
【技術分野】
【０００１】
本発明は、冷蔵倉庫や冷凍倉庫などを断熱パネルを用いて組立てる際の、断熱パネルの支持構造に関するものである。
【背景技術】
【０００２】
従来、断熱パネルの支持構造としては、特許文献１に記載されているように、断熱パネルを金属製ベースで支持する構造のものが知られている。しかしながら、金属製ベースでは、熱伝導性が優れているために、断熱パネルの外側に露出した床ベース部分までが低温化して結露するという問題が生じていた。
【０００３】
上記課題に対して、床ベースを熱伝導率が低い樹脂製のものに変更したものも知られている。
【特許文献１】特開２００５−１８０１４０号公報
【発明の開示】
【発明が解決しようとする課題】
【０００４】
しかしながら、図４に示すように、樹脂製床ベース２４において、断熱パネル２１を支持するのに必要な強度を確保するためには、金属製床ベースに比べて肉厚に形成することが必要となる。そうすると、樹脂製床ベース２４の側壁３０の上面に埃Ｃが溜りやすくなるといった問題が新たに生じていた。
【０００５】
そこで、本発明は、結露を生じることなく、かつ埃が溜まりにくい断熱パネルの支持構造を提供することを目的とする。
【課題を解決するための手段】
【０００６】
上記課題を解決するために、本発明では、断熱パネルの下端面に形成された凸型嵌合部を、床面に設置された凹型の樹脂製床ベースに嵌合して固定する断熱パネルの支持構造であって、凸型嵌合部が断熱パネルとは別体の断熱部材を固定金具で固定することにより形成され、固定金具が、断熱パネルの外側と内側とに配された外側金具と内側金具とからなり、該外側金具と内側金具とが互いに非接触の状態で前記断熱部材を断熱パネル下端面に固定するようにしたことを特徴とする。
【０００７】
上記構成によれば、外側金具と内側金具とが非接触であるため、熱的に不連続な構造であることから、冷蔵倉庫あるいは冷凍倉庫の室内側に配される内側金具が低温化しても室外側に配される外側金具まで低温化することがなく、結露の発生を防止することが可能となる。
【０００８】
また、樹脂製床ベースの側壁上面は断熱パネルの下端面に覆われるため、埃が溜まりにくくなる。特に、床ベースの幅を断熱パネルの幅と同一幅に設定することにより、断面パネルの外面と床ベースの外側壁、及び、断面パネルの内面と床ベースの内側壁とがそれぞれ面一になるように形成すれば、美感に優れるとともに、床ベースの側壁上面に埃がより溜まりにくくなる。
【０００９】
外側金具と内側金具とは、断熱パネル下端面において、断熱部材を挟み込んで固定するものであればよく、これにより、断熱パネル下端面に凸型嵌合部を強固に形成することができる。具体的には、外側金具と内側金具とで、断熱部材の外面と内面とを挟み込んで固定することができる。ただ、この場合には、断熱部材と固定金具とをネジ等により固定することが必要となるが、ネジの頭部が固定金具の表面に突出することになり、このネジの頭部のスペースが断熱部材と固定金具の間に隙間を生じ、一体性及び密閉性を損なうおそれが生じる。
【００１０】
そこで、本発明では、外側金具及び内側金具のうち、いずれか一方が断熱部材の下面に固着され、他方が断熱部材の上面に固着された構成のものを使用することにより、床ベースの側壁と断熱部材とを密着可能にするとともに、強度的に優れた断熱パネルの支持構造を提供することが可能となる。
【００１１】
すなわち、外側金具及び内側金具のうち、いずれか一方は、その上部が断熱パネルの外面に固着され、該金具の下部が断熱部材の下面に固着される。他方の金具は、金具上部が断熱パネルの内面に固着され、金具の下部が断熱部材の上面に固着される。なお、固定金具は金属製で厚みは１ｍｍ〜２ｍｍ程度であることから端面に埃が溜まりにくいという利点を有する。
【００１２】
上記外側金具及び内側金具の具体的な形状としては、いずれか一方の金具を断面略Ｍ字形とし、他方の金具を断面略Ｌ字形とすることにより、外側金具及び内側金具を簡単に加工して形成することができる。
【発明の効果】
【００１３】
本発明では、床面に設置された凹型の樹脂製床ベースに嵌合する凸型嵌合部を、断熱パネルとは別体の断熱部材を固定金具によって断熱パネルの下端面に固定することにより形成し、固定金具として、断熱部材を断熱パネルの外側と内側とから挟み込んで固定する外側金具と内側金具を用い、外側金具と内側金具とが非接触の状態で断熱部材に固定されるようにしたため、結露を防止することができる。さらに、床ベースの側壁上面の少なくとも一部が断熱パネルの下端面に覆われるため、埃が溜まりにくくなる。
【発明を実施するための最良の形態】
【００１４】
以下、図面を基に本発明の実施形態について説明する。図１は、本発明に係る断熱パネルの支持構造を示す概略断面図であり、図２は断熱部材に外側金具と内側金具とを固着した状態を示す断面図である。
【００１５】
本実施形態に係る断熱パネルの支持構造は、図１に示すように、断熱パネル１の下端面に形成された凸型嵌合部２と、床面３に設置され、凸型嵌合部２を嵌合する樹脂製床ベース４とを備えている。凸型嵌合部２は、断熱パネル１とは別体の断熱部材５を固定金具６で断熱パネル下端面に固定することにより形成されている。
【００１６】
断熱部材５としては、強度が高く、断熱性に優れたものであればよく、例えば、木製や樹脂製のものを使用することができる。本実施形態では、断熱部材５として、木製の角材を使用している。角材の長さは、おおよそ断熱パネル１の左右長さと同じとされる。
【００１７】
固定金具６は、断熱パネル１の外側と内側とに配された外側金具７と内側金具８とからなり、図２に示すように、外側金具７と内側金具８とが互いに非接触の状態で断熱部材５に固定される。なお、外側金具７及び内側金具８は、断熱部材５と略同じ長さに形成される。
【００１８】
外側金具７は、横断面略Ｍ字形に形成され、金具上部が断熱パネル１の外面板９に固着され、金具の下部が断熱部材５の下面に固着される。内側金具８は、金具上部が断熱パネル１の内面板１０に固着され、金具の下部が断熱部材５の上面に固着される。そして、図２に示すように、外側金具７と内側金具８との間に、熱的に不連続な非接触部分Ｅが設けられている。これにより、断熱パネルの外側と内側とで断熱性を確保することができ、結露の発生を防止することができる。
【００１９】
断熱パネル１は、図３に示すように、防水性を備えた外面板９及び内面板１０の間にウレタンフォームなどの断熱材１１をサンドイッチした構造を備えている。
【００２０】
本実施形態に係る断熱パネルの支持構造を形成するには、先ず、図２に示すように、断熱部材５の上面と下面とに、それぞれ内側金具７の下部と外側金具８の下部とを重ねた状態でネジ１２で固着する。このとき、内側金具７の上部と外側金具８の上部の間の距離Ａが、断熱パネル１の幅Ｂと同じになるように調整する。
【００２１】
次に、上記断熱部材５に固着された固定金具７、８の間に断熱パネル１の下端部を挟み込んだ後、固定金具７，８と断熱パネル１とをネジ１３にて固着する。このようにして、断熱パネル１の下端面に凸型嵌合部２を形成することができる。
【００２２】
床面３には予め樹脂製の床ベース４をアンカーボルト１４にて固定しておき、床ベース４の凹部１５に凸型嵌合部２を嵌合する。凹部１５の内部は下部側が狭くなる段差部１６が形成されており、この段差部１６に凸型嵌合部２の凸部１７が載置される。これによって、ネジ１１やアンカーボルト１４の頭部の存在にかかわらず、断熱パネル１が床ベース４に安定して支持される。最後に、側壁１８及び１９と、断熱部材５とをネジ２０にて固定することにより、断熱パネル１が床ベース４に嵌合固定される。
【００２３】
本実施形態では、断熱パネル１の幅Ｂと、床ベース４の幅Ｄとが同一幅に設定されている。すなわち、断面パネル１の外面板９と床ベース４の外側壁１８及び断面パネルの内面板１０と床ベース４の内側壁１９とがそれぞれ面一になるように形成されている。これにより、床ベース４の側壁１８，１９の上面が断熱パネル１の下端面に覆われるため、埃が溜まりにくくなる。
【図面の簡単な説明】
【００２４】
【図１】本発明に係る断熱パネルの支持構造を示す概略断面図
【図２】図１において断熱部材に固定金具を固着した状態を示す断面図
【図３】断熱パネルの構造を示す概略断面図
【図４】従来の断熱パネルの支持構造を示す概略断面図
【符号の説明】
【００２５】
１        断熱パネル
２        凸型嵌合部
３        床面
４        樹脂製床ベース
５        断熱部材
６        固定金具
７        外側金具
８        内側金具
９        断熱パネルの外面板
１０        断熱パネルの内面板
１１        断熱材
１２、１３  ネジ
１４        アンカーボルト
１５        凹部
１６        段差部
１７        凸部
１８        床ベースの外側壁
１９        床ベースの内側壁
２０        ネジ
【図１】
2008240467.tif 000003
【図２】
2008240467.tif 000004
【図３】
2008240467.tif 000005
【図４】
2008240467.tif 000006